(57)【特許請求の範囲】
【請求項１】
判定対象となる原稿にマイクロ波を照射して走査し，前記照射したマイクロ波の反射波を検出して，前記原稿中に金属繊維がすき込まれているか否かを判定し，金属繊維がすき込まれていると判定された場合に，前記原稿が金属繊維のすき込まれた紙幣・有価証券等の特殊原稿であると判定する特殊原稿判定方法において，
前記原稿に対してマイクロ波を照射して走査し，前記照射したマイクロ波の反射波を検出する際に，前記走査の往路で，前記原稿にマイクロ波を照射して，その反射波を検出し，検出信号を出力する第１の工程と，
前記第１の工程で検出した前記往路の反射波の検出信号を用いて，前記原稿中に金属繊維がすき込まれているか否かを判定する第２の工程と，
前記第２の工程で前記原稿中に金属繊維がすき込まれていると判定された場合に，前記原稿が前記特殊原稿であると判定し，かつ，復路で前記原稿にマイクロ波を照射して検出する動作を停止する第３の工程と，
前記第２の工程で前記原稿中に金属繊維がすき込まれていないと判定された場合にのみ，前記走査の復路で，前記原稿にマイクロ波を照射して，その反射波を検出し，検出信号を出力する第４の工程と，
前記第４の工程で検出した前記復路の反射波の検出信号を用いて，前記原稿中に金属繊維がすき込まれているか否かを判定する第５の工程と，
前記第５の工程の判定結果に基づいて，前記原稿が前記特殊原稿であるか否かを判定する第６の工程と，を有することを特徴とする特殊原稿判定方法。
【請求項２】
前記原稿に対してマイクロ波を照射して走査し，前記照射したマイクロ波の反射波を検出する際に，前記原稿を読み取るための照明光を点灯させた場合には，全ての走査および反射波の検出において，同一条件で照明光を点灯させることを特徴とする請求項１記載の特殊原稿判定方法。
【請求項３】
判定対象となる原稿にマイクロ波を照射して走査し，前記照射したマイクロ波の反射波を検出して，前記原稿中に金属繊維がすき込まれているか否かを判定し，金属繊維がすき込まれていると判定された場合に，前記原稿が金属繊維のすき込まれた紙幣・有価証券等の特殊原稿であると判定する特殊原稿判定装置において，
前記原稿に対してマイクロ波を照射して走査し，前記照射したマイクロ波の反射波を検出する際に，前記走査の往路で，前記原稿にマイクロ波を照射して，その反射波を検出し，検出信号を出力する検出手段と，
前記検出手段で検出した前記往路の反射波の検出信号を用いて，前記原稿中に金属繊維がすき込まれているか否かを判定する第１の判定手段と，
前記第１の判定手段で前記原稿中に金属繊維がすき込まれていると判定された場合に，前記原稿が前記特殊原稿であると判定し，かつ，前記原稿にマイクロ波を照射して検出する動作を停止する第２の判定手段と，を備え，
前記第１の判定手段で前記原稿中に金属繊維がすき込まれていないと判定された場合にのみ，前記検出手段が，前記走査の復路で，前記原稿にマイクロ波を照射して，その反射波を検出し，検出信号を出力し，
前記第１の判定手段が，前記検出手段で検出した前記復路の反射波の検出信号を用いて，前記原稿中に金属繊維がすき込まれているか否かを判定し，
前記第２の判定手段が，前記第１の判定手段の判定結果に基づいて，前記原稿が前記特殊原稿であるか否かを判定することを特徴とする特殊原稿判定装置。
【請求項４】
原稿の画像を光学的に読み取る読取手段と，前記原稿が金属繊維のすき込まれた紙幣・有価証券等の特殊原稿であるか否かを判定する特殊原稿判定手段と，を有した画像読取装置において，
前記特殊原稿判定手段が，請求項３記載の特殊原稿判定装置から成り，
前記特殊原稿判定装置の検出手段が，前記原稿に対してマイクロ波を照射して走査し，前記照射したマイクロ波の反射波を検出する際に，全ての走査および反射波の検出において前記読取手段の照明光を点灯または消灯させることを特徴とする画像読取装置。
【発明の詳細な説明】
【０００１】
【発明の属する技術分野】
本発明は，原稿中に存在する金属繊維を検出することにより，金属繊維がすき込まれた紙幣・有価証券等の特殊原稿（帳票）の違法複写を防止するための特殊原稿判定方法，特殊原稿判定装置，および画像読取装置に関し，より詳細には，金属繊維の検出精度の向上を図った金属繊維がすき込まれた紙幣・有価証券等の特殊原稿（帳票）の違法複写を防止するための特殊原稿判定方法，特殊原稿判定装置，および画像読取装置に関する。
【０００２】
【従来の技術】
近年，画像処理技術・画像形成技術の向上によって，カラー複写機で複写したコピー紙幣と実際の紙幣とが容易に区別できないほど精巧に画像形成を行うことが可能になっている。このため，紙幣・有価証券等の複製が禁止されている特殊原稿を判定し，特殊原稿の場合に違法複写を禁止するようにした装置が開発されており，特殊原稿を判定する機能を搭載した複写機等の画像形成装置も提案されている。
【０００３】
上記特殊原稿として，それ自身が特殊原稿であることを示すために金属繊維がすき込まれたものがある。このような特殊原稿を通常の原稿から判別するには，特殊原稿中にすき込まれた金属繊維を検出すれば良い。そのため，金属繊維がすき込まれた特殊原稿を判定する機能を有した画像形成装置として，原稿に対してマイクロ波を照射し，照射したマイクロ波の透過波または反射波を検出して，検出信号を出力するマイクロ波センサと，マイクロ波センサから出力された検出信号を入力し，この検出信号を用いて，原稿中に金属繊維がすき込まれているか否か判定する信号判定部と，を備えたものが提案されている。
【０００４】
上記画像形成装置においてマイクロ波センサは，一般に，撮像用のＣＣＤ等を備える画像読取ユニットに設けられ，原稿台に載置された原稿上を画像読取ユニットと共に往復運動し，その往路にて金属繊維を検出するためのマイクロ波の照射および反射波の検出を行う。そして，信号判定部が，マイクロ波センサから出力された反射波の検出信号を入力し，入力した検出信号を用いて，原稿中に金属繊維がすき込まれているか否か判定し，原稿中に金属繊維がすき込まれていると判定された場合，原稿が金属繊維のすき込まれた紙幣，有価証券等の特殊原稿であると判定する。
【０００５】
【発明が解決しようとする課題】
しかしながら，上記従来の技術においては，例えば画像読取ユニットの振動，温度変化等の影響により，マイクロ波センサから出力される検出信号中にノイズ等の外乱成分が含まれることがあるため，必ずしも精度良く特殊原稿の判定を行うことができないという問題点があった。
【０００６】
本発明は上記に鑑みてなされたものであって，検出信号中の外乱成分の影響をなくし，金属繊維がすき込まれた紙幣，有価証券等の特殊原稿の判定精度の向上を図ることを目的とする。
【０００７】
【課題を解決するための手段】
上記目的を達成するため，請求項１に係る特殊原稿判定方法は，判定対象となる原稿にマイクロ波を照射して走査し，前記照射したマイクロ波の反射波を検出して，前記原稿中に金属繊維がすき込まれているか否かを判定し，金属繊維がすき込まれていると判定された場合に，前記原稿が金属繊維のすき込まれた紙幣・有価証券等の特殊原稿であると判定する特殊原稿判定方法において，前記原稿に対してマイクロ波を照射して走査し，前記照射したマイクロ波の反射波を検出する際に，前記走査の往路で，前記原稿にマイクロ波を照射して，その反射波を検出し，検出信号を出力する第１の工程と，前記第１の工程で検出した前記往路の反射波の検出信号を用いて，前記原稿中に金属繊維がすき込まれているか否かを判定し，かつ，前記原稿にマイクロ波を照射して検出する動作を停止する第２の工程と，前記第２の工程で前記原稿中に金属繊維がすき込まれていると判定された場合にのみ，前記原稿が前記特殊原稿であると判定する第３の工程と，前記第２の工程で前記原稿中に金属繊維がすき込まれていないと判定された場合に，前記走査の復路で，前記原稿にマイクロ波を照射して，その反射波を検出し，検出信号を出力する第４の工程と，前記第４の工程で検出した前記復路の反射波の検出信号を用いて，前記原稿中に金属繊維がすき込まれているか否かを判定する第５の工程と，前記第５の工程の判定結果に基づいて，前記原稿が前記特殊原稿であるか否かを判定する第６の工程と，を有するものである。
【０００８】
また，請求項２に係る特殊原稿判定方法は，請求項１記載の特殊原稿判定方法において，前記原稿に対してマイクロ波を照射して走査し，前記照射したマイクロ波の反射波を検出する際に，前記原稿を読み取るための照明光を点灯させた場合には，全ての走査および反射波の検出において，同一条件で照明光を点灯させるものである。
【０００９】
また，請求項３に係る特殊原稿判定装置は，判定対象となる原稿にマイクロ波を照射して走査し，前記照射したマイクロ波の反射波を検出して，前記原稿中に金属繊維がすき込まれているか否かを判定し，金属繊維がすき込まれていると判定された場合に，前記原稿が金属繊維のすき込まれた紙幣・有価証券等の特殊原稿であると判定する特殊原稿判定装置において，前記原稿に対してマイクロ波を照射して走査し，前記照射したマイクロ波の反射波を検出する際に，前記走査の往路で，前記原稿にマイクロ波を照射して，その反射波を検出し，検出信号を出力する検出手段と，前記検出手段で検出した前記往路の反射波の検出信号を用いて，前記原稿中に金属繊維がすき込まれているか否かを判定する第１の判定手段と，前記第１の判定手段で前記原稿中に金属繊維がすき込まれていると判定された場合に，前記原稿が前記特殊原稿であると判定し，かつ，前記原稿にマイクロ波を照射して検出する動作を停止第２の判定手段と，を備え，前記第１の判定手段で前記原稿中に金属繊維がすき込まれていないと判定された場合にのみ，前記検出手段が，前記走査の復路で，前記原稿にマイクロ波を照射して，その反射波を検出し，検出信号を出力し，前記第１の判定手段が，前記検出手段で検出した前記復路の反射波の検出信号を用いて，前記原稿中に金属繊維がすき込まれているか否かを判定し，前記第２の判定手段が，前記第１の判定手段の判定結果に基づいて，前記原稿が前記特殊原稿であるか否かを判定するものである。
【００１０】
また，請求項４に係る画像読取装置は，原稿の画像を光学的に読み取る読取手段と，前記原稿が金属繊維のすき込まれた紙幣・有価証券等の特殊原稿であるか否かを判定する特殊原稿判定手段と，を有した画像読取装置において，前記特殊原稿判定手段が，請求項３記載の特殊原稿判定装置から成り，前記特殊原稿判定装置の検出手段が，前記原稿に対してマイクロ波を照射して走査し，前記照射したマイクロ波の反射波を検出する際に，全ての走査および反射波の検出において前記読取手段の照明光を点灯または消灯させるものである。
【００１１】
【発明の実施の形態】
以下，本発明に係る特殊原稿判定方法，特殊原稿判定装置，および画像読取装置について，〔実施の形態１〕，〔実施の形態２〕，〔実施の形態３〕，〔実施の形態４〕，〔実施の形態５〕，〔実施の形態６〕，〔実施の形態７〕，〔実施の形態８〕，〔実施の形態９〕〔実施の形態１０〕の順で，図面を参照して詳細に説明する。
【００１２】
〔実施の形態１〕
図１は，実施の形態１の特殊原稿判定装置（画像読取装置）のブロック構成図である。図１に示す特殊原稿判定装置は，原稿からＲＧＢのカラー画像データを読み取るスキャナユニット１１０と，スキャナユニット１１０からカラー画像データを入力し，γ補正処理，ＲＧＢ／ＹＭＣＫ変換処理，階調処理等を行う画像処理ユニット１２０と，画像処理ユニット１２０で画像処理が施されたカラー画像データから画像書込信号を生成し，レーザダイオード（ＬＤ）１３１を発光させて画像書込処理を実行する書込処理ユニット１３０と，ＬＤ１３１の書込光を用いて記録紙にカラー画像を記録するプリンタユニット１４０と，各種モードの入力およびメッセージの表示等を行うための操作ユニット１５０と，原稿にマイクロ波を照射し，照射したマイクロ波の反射波を用いて，原稿中に金属繊維がすき込まれているか否かを判定する原稿判別ユニット１６０と，上記各部の制御を行うと共に，原稿判別ユニット１６０で原稿中に金属繊維がすき込まれていると判定された場合に，原稿が金属繊維のすき込まれた紙幣，有価証券等の特殊原稿であると判定する制御ユニット１８０とから構成される。
【００１３】
図１において，スキャナユニット１１０は，カラー画像データを読み取るＣＣＤセンサ等の読取センサ１１１と，読取センサ１１１から出力されたアナログ信号としてのカラー画像データをディジタル信号に変換する等の信号処理を施して，画像処理ユニット１２０に出力する読取信号処理部１１２とを備えている。
【００１４】
プリンタユニット１４０は，感光体ドラム，帯電器，現像器等の画像形成部（図示せず）並びにこれらを駆動するためのモータ，クラッチおよびソレノイド等を含む出力負荷部１４１と，感光体ドラムの表面電位やトナー濃度等を検出する各種センサ１４２と，所定の信号の入出力を制御するＩ／Ｏポート１４３とを備えている。
【００１５】
また，原稿判別ユニット１６０は，原稿に対してマイクロ波を照射し，その反射波を検出し，反射波のレベルに応じた検出信号を出力するマイクロ波センサ１６１と，マイクロ波センサ１６１から出力された検出信号を入力し，入力した検出信号に所定の信号処理を施して，原稿中に金属繊維がすき込まれているか否かを判定する信号処理部１６２とを備えている。なお，１７０は信号記憶部であり，所定の条件の下，マイクロ波センサ１６１から出力された検出信号を記憶するものである。
【００１６】
図２は，図１に示す特殊原稿判定装置の原稿読取系の具体的な構成を示す構成図である。図２に示す原稿読取系は，原稿が載置されるコンタクトガラス２０１と，原稿をコンタクトガラス２０１上に押圧する圧板２０２と，露光照明ユニット（ハロゲンランプ）２０３，第１ミラー２０４およびマイクロ波センサ１６１で一体構成された第１スキャナ２０５と，第２ミラー２０６および第３ミラー２０７で一体構成された第２スキャナ２０８と，フィルタ２０９，レンズ２１０およびＣＣＤ２１２で一体構成された画像読取部２１３と，ＣＣＤ２１２から出力された画像信号を入力し，所定の信号処理を施すための各種回路，即ち読取信号処理部１１２や，画像処理ユニット１２０，信号処理部１６２等が実装されたスキャナ基板２１４とが，筐体内に収容されて構成されている。
【００１７】
なお，図２において，２１５はシェーディング板（白基準板），２１６および２１７は冷却ファン，２１８は結露防止ヒータ，２１９は原稿サイズ検知器，２２０はバーコード板をそれぞれ示している。
【００１８】
図２に示す原稿読取系において，原稿を読み取るには，まず，第１スキャナ２０５をコンタクトガラス上に載置された原稿上で往復運動させ，その往路において露光照明ユニット２０３で原稿を照明することによってプリスキャンを行う。このプリスキャンを行うことにより，原稿のサイズや濃度を検知することができる。
【００１９】
そして，プリスキャンを行った後，実際の原稿読取動作に入る。プリスキャンのときと同様に，第１スキャナ２０５を原稿上で往復運動させ，その往路において露光照明ユニット２０３で原稿を照明する。原稿で反射された反射光は第１ミラー２０４で反射され，第２スキャナ２０８に入射される。第２スキャナ２０８に入射された反射光は，第２ミラー２０６，第３ミラー２０７で反射され，画像読取部２１３に入射される。画像読取部２１３に入射された反射光は，フィルタ２０９およびレンズ２１０を通過した後，ＣＣＤ２１２に入射される。ＣＣＤ２１２において，反射光は電気信号としてのカラー画像データに変換され，読取信号処理部１１２に入力される。
【００２０】
カラー画像データは，読取信号処理部１１２および画像処理ユニット１２０において所定の処理が施され，書込処理ユニット１３０からレーザ光として出力される。プリンタユニット１４０は，書込処理ユニット１３０から出力されたレーザ光を用いてカラー画像を形成し，形成したカラー画像を記録紙上に転写する。
【００２１】
次に，上述した構成の特殊原稿判定装置による特殊原稿の判定処理を説明する。図３は，実施の形態１の特殊原稿判定装置による特殊原稿の判定手順を示すフローチャートである。
【００２２】
特殊原稿の判定処理は，プリスキャンを行う際に同時に実行される。まず，第１スキャナ２０５が，コンタクトガラス２０１上に載置された原稿上をプリスキャンのために往復運動する際の往路において，第１スキャナ２０５に設けられたマイクロ波センサ１６１が原稿に対してマイクロ波を照射して走査し，照射したマイクロ波の反射波を検出して，反射波のレベルに応じた往路分の検出信号を信号処理部１６２に出力する（Ｓ３０１）。
【００２３】
信号処理部１６２は，往路分の検出信号を入力し，入力した往路分の検出信号を用いて原稿中に金属繊維がすき込まれているか否かを判定する（Ｓ３０２）。ステップＳ３０２において，原稿中に金属繊維がすき込まれていると判定された場合は，その結果が制御ユニット１８０に報告され，制御ユニット１８０は，原稿が金属繊維がすき込まれた紙幣，有価証券等の特殊原稿であると判定する。
【００２４】
一方，ステップＳ３０２において，金属繊維がすき込まれていないと判定された場合は，その結果が制御ユニット１８０に報告される。そして，制御ユニット１８０は，マイクロ波センサ１６１および信号処理部１６２に対し，プリスキャンの際の復路において，再度特殊原稿の判定処理を実行させる（Ｓ３０３）。
【００２５】
すなわち，マイクロ波センサ１６１は，往路の場合と同様に，原稿に対してマイクロ波を照射して走査し，照射したマイクロ波の反射波を検出して，反射波のレベルに応じた復路分の検出信号を信号処理部１６２に出力する。
【００２６】
続いて，信号処理部１６２は，復路分の検出信号を入力し，入力した復路分の検出信号を用いて，原稿中に金属繊維がすき込まれているか否かを判定する（Ｓ３０４）。
【００２７】
ステップＳ３０４において，原稿中に金属繊維がすき込まれていると判定された場合は，その結果が制御ユニット１８０に報告され，制御ユニット１８０は，原稿が金属繊維がすき込まれた紙幣，有価証券等の特殊原稿であると判定する。一方，ステップＳ３０４において，原稿中に金属繊維がすき込まれていないと判定された場合は，その結果が制御ユニット１８０に報告され，制御ユニット１８０は，原稿が特殊原稿ではなく，一般の原稿であると判定する。
【００２８】
このように，実施の形態１の特殊原稿判定方法および特殊原稿判定装置によれば，第１スキャナ２０５の往路で特殊原稿の判定処理を行うだけでなく，復路においても再度判定処理を行うため，マイクロ波の発射・反射の方向の違いが判定結果に影響を及ぼすことを防止することができ，特殊原稿の判定精度の向上を図ることができる。例えば，圧板２０２の表面に金属板が使用されている場合，一般にこの金属板からの反射波の影響で精度良く特殊原稿の判定を行うことは困難であるが，金属面のアラシ方向によっては，金属板からの反射波の影響が少なくなる。実施の形態１の特殊原稿判定方法および特殊原稿判定装置では，往路および復路の２つの検出信号を用いて原稿中に金属繊維がすき込まれているか否かを判定するため，上記金属板の性質を利用して精度良く特殊原稿の判定処理を行うことができる。また，１回の特殊原稿の判定処理で特殊原稿であると判定された場合には，その後の処理は実行されないため，制御の簡略化，判定処理の高速化を図ることができる。
【００２９】
なお，上述した実施の形態１の特殊原稿判定装置においては，マイクロ波センサ１６１の検出信号を用いて，原稿中に金属繊維がすき込まれているか否かの判定を信号処理部１６２が行い，信号処理部１６２の判定結果に基づいて，原稿が特殊原稿であるか否かの判定を制御ユニット１８０が行うことにしたが，この判定処理を全て信号処理部１６２が行うことにしても良い。また，実施の形態１においては，特殊原稿の判定処理を行うタイミングとしてプリスキャン時としたが，これに限定するものではない。
【００３０】
〔実施の形態２〕
実施の形態２の特殊原稿判定方法および特殊原稿判定装置は，第１スキャナ２０５がコンタクトガラス２０１上に載置された原稿上をプリスキャンのために往復運動する際の往路で金属繊維の検出処理を実行し，検出処理により得られた検出信号を用いて，原稿中に金属繊維がすき込まれているか否かを判定し，原稿中に金属繊維がすき込まれていると判定された場合，再度復路にて金属繊維の検出処理を実行し，検出処理により得られた検出信号を用いて，原稿中に金属繊維がすき込まれているか否かを判定し，原稿中に金属繊維がすき込まれていると判定された場合，原稿が特殊原稿であると判定するというものである。なお，実施の形態２の特殊原稿判定装置は，実施の形態１で説明した特殊原稿判定装置と同様の構成であるため，その構成の説明は省略する。
【００３１】
次に，実施の形態２の特殊原稿判定装置による特殊原稿の判定処理を説明する。図４は，実施の形態２の特殊原稿判定装置による特殊原稿の判定手順を示すフローチャートである。
【００３２】
特殊原稿の判定処理は，プリスキャンを行う際に同時に実行される。まず，第１スキャナ２０５がコンタクトガラス２０１上に載置された原稿上をプリスキャンのために往復運動する際の往路において，第１スキャナ２０５に設けられたマイクロ波センサ１６１が原稿に対してマイクロ波を照射して走査し，照射したマイクロ波の反射波を検出して，反射波のレベルに応じた往路分の検出信号を信号処理部１６２に出力する（Ｓ４０１）。
【００３３】
信号処理部１６２は，往路分の検出信号を入力し，入力した往路分の検出信号を用いて，原稿中に金属繊維がすき込まれているか否かを判定する（Ｓ４０２）。ステップＳ４０２において，原稿中に金属繊維がすき込まれていないと判定された場合は，その結果が制御ユニット１８０に報告され，制御ユニット１８０は，原稿が金属繊維がすき込まれた紙幣，有価証券等の特殊原稿ではなく，一般の原稿であると判定する。
【００３４】
一方，ステップＳ４０２において，原稿中に金属繊維がすき込まれていると判定された場合は，その結果が制御ユニット１８０に報告される。そして，制御ユニット１８０は，マイクロ波センサ１６１および信号処理部１６２に対し，プリスキャンの際の復路において，再度特殊原稿の判定処理を実行させる（Ｓ４０３）。
【００３５】
すなわち，マイクロ波センサ１６１は，往路の場合と同様に，原稿に対してマイクロ波を照射して走査し，照射したマイクロ波の反射波を検出して，反射波のレベルに応じた復路分の検出信号を信号処理部１６２に出力する。
【００３６】
続いて，信号処理部１６２は，復路分の検出信号を入力し，入力した復路分の検出信号を用いて，原稿中に金属繊維がすき込まれているか否かを判定する（Ｓ４０４）。
【００３７】
ステップＳ４０４において，原稿中に金属繊維がすき込まれていると判定された場合は，その結果が制御ユニット１８０に報告され，制御ユニット１８０は，原稿が金属繊維がすき込まれた紙幣，有価証券等の特殊原稿であると判定する。一方，ステップＳ４０４において，原稿中に金属繊維がすき込まれていないと判定された場合は，その結果が制御ユニット１８０に報告され，制御ユニット１８０は，原稿が特殊原稿ではなく，一般の原稿であると判定する。
【００３８】
このように，実施の形態２の特殊原稿判定方法および特殊原稿判定装置によれば，第１スキャナ２０５の往路で特殊原稿の判定処理を行うだけでなく，復路においても再度判定処理を行うため，マイクロ波の発射・反射の方向の違いが判定結果に影響を及ぼすことを防止することができ，特殊原稿の判定精度の向上を図ることができる。例えば，圧板２０２の表面に金属板が使用されている場合，一般にこの金属板からの反射波の影響で精度良く特殊原稿の判定を行うことが困難であるが，金属面のアラシ方向によっては，金属板からの反射波の影響が少なくなる。実施の形態２の特殊原稿判定方法および特殊原稿判定装置では，往路および復路の２つの検出信号を用いて原稿中に金属繊維がすき込まれているか否かを判定するため，上記金属板の性質を利用して精度良く特殊原稿の判定処理を行うことができる。また，１回の特殊原稿の判定処理で特殊原稿でないと判定された場合には，その後の処理は実行されないため，制御の簡略化，判定処理の高速化を図ることができる。
【００３９】
なお，上述した実施の形態２の特殊原稿判定装置においては，マイクロ波センサ１６１の検出信号を用いて，原稿中に金属繊維がすき込まれているか否かの判定を信号処理部１６２が行い，信号処理部１６２の判定結果に基づいて，原稿が特殊原稿であるか否かの判定を制御ユニット１８０が行うことにしたが，この判定処理を全て信号処理部１６２が行うことにしても良い。また，実施の形態２においては，特殊原稿の判定処理を行うタイミングとしてプリスキャン時としたが，これに限定するものではない。
【００４０】
〔実施の形態３〕
実施の形態３の特殊原稿判定方法および特殊原稿判定装置は，第１スキャナ２０５がコンタクトガラス２０１上に載置された原稿上をプリスキャンのために往復運動する際の往路・復路双方で，金属繊維の検出処理を実行し，検出処理で得られた往路分および復路分の検出信号を比較処理して，原稿中に金属繊維がすき込まれているか否かを判定し，原稿中に金属繊維がすき込まれていると判定された場合，原稿が金属繊維のすき込まれた紙幣，有価証券等の特殊原稿であると判定するものである。なお，実施の形態３の特殊原稿判定装置は，実施の形態１で説明した特殊原稿判定装置と同様の構成であるため，その構成の説明は省略する。
【００４１】
次に，実施の形態３の特殊原稿判定装置による特殊原稿の判定処理を説明する。図５は，実施の形態３の特殊原稿判定装置による特殊原稿の判定手順を示すフローチャートである。
【００４２】
特殊原稿の判定処理は，プリスキャンを行う際に同時に実行される。まず，第１スキャナ２０５がコンタクトガラス２０１上に載置された原稿上をプリスキャンのために往復運動する際の往路において，第１スキャナ２０５に設けられたマイクロ波センサ１６１が原稿に対してマイクロ波を照射して走査し，照射したマイクロ波の反射波を検出して，反射波のレベルに応じた往路分の検出信号を信号処理部１６２に出力する（Ｓ５０１）。
【００４３】
信号処理部１６２は，往路分の検出信号を入力し，入力した往路分の検出信号を信号記憶部１７０に記憶させる（Ｓ５０２）。
【００４４】
続いて，マイクロ波センサ１６１は，プリスキャンの際の復路にて，往路の場合と同様に，原稿に対してマイクロ波を照射して走査し，照射したマイクロ波の反射波を検出して，反射波のレベルに応じた復路分の検出信号を信号処理部１６２に出力する（Ｓ５０３）。
【００４５】
信号処理部１６２は，復路分の検出信号を入力し，入力した復路分の検出信号を信号記憶部１７０に記憶させる（Ｓ５０４）。
【００４６】
信号処理部１６２は，信号記憶部１７０から往路分および復路分の検出信号を読み出し，両者を比較処理して比較値を求める（Ｓ５０５）。すなわち，往路分の検出信号と復路分の検出信号との差分信号を求める。そして，信号処理部１６２は，比較処理して得た比較値（差分信号）と予め設定された閾値とを比較する（Ｓ５０６）。
【００４７】
ステップＳ５０６において，比較値が閾値より大きい場合は，原稿中に金属繊維がすき込まれていると判定され，その結果が制御ユニット１８０に報告される。制御ユニット１８０は，その結果に基づいて，原稿が金属繊維のすき込まれた紙幣，有価証券等の特殊原稿であると判定する。一方，比較値が閾値より小さい場合は，原稿中に金属繊維がすき込まれていないと判定され，その結果が制御ユニット１８０に報告される。制御ユニット１８０は，その結果に基づいて，原稿が一般原稿であると判定する。
【００４８】
このように，実施の形態３の特殊原稿判定方法および特殊原稿判定装置によれば，プリスキャンの際の往路・復路の双方で得た検出信号を比較処理して特殊原稿であるか否かを判定するため，比較処理の際にノイズ成分を除去でき，ＳＮ比の高い比較値を得ることができる。なお，ノイズ成分としては，読取装置の振動や周囲の温度変化による検出信号への影響，外来ノイズの影響等が挙げられる。
【００４９】
なお，上述した実施の形態３の特殊原稿判定装置においては，マイクロ波センサ１６１の検出信号を用いて，原稿中に金属繊維がすき込まれているか否かの判定を信号処理部１６２が行い，信号処理部１６２の判定結果に基づいて，原稿が特殊原稿であるか否かの判定を制御ユニット１８０が行うことにしたが，この判定処理を全て信号処理部１６２が行うことにしても良い。また，実施の形態３においては，特殊原稿の判定処理を行うタイミングとしてプリスキャン時としたが，これに限定するものではない。
【００５０】
〔実施の形態４〕
実施の形態４の特殊原稿判定方法および特殊原稿判定装置は，第１スキャナ２０５がコンタクトガラス２０１上に載置された原稿上をプリスキャンのために往復運動する際の往路・復路双方で，金属繊維の検出処理を実行し，検出処理で得られた往路分および復路分の検出信号を平均化処理して，原稿中に金属繊維がすき込まれているか否かを判定し，原稿中に金属繊維がすき込まれていると判定された場合，原稿が金属繊維のすき込まれた紙幣，有価証券等の特殊原稿であると判定するものである。なお，実施の形態４の特殊原稿判定装置は，実施の形態１で説明した特殊原稿判定装置と同様の構成であるため，その構成の説明は省略する。
【００５１】
次に，実施の形態４の特殊原稿判定装置による特殊原稿の判定処理を説明する。図６は，実施の形態４の特殊原稿判定装置による特殊原稿の判定手順を示すフローチャートである。
【００５２】
特殊原稿の判定処理は，プリスキャンを行う際に同時に実行される。まず，第１スキャナ２０５がコンタクトガラス２０１上に載置された原稿上をプリスキャンのために往復運動する際の往路において，第１スキャナ２０５に設けられたマイクロ波センサ１６１が原稿に対してマイクロ波を照射して走査し，照射したマイクロ波の反射波を検出して，反射波のレベルに応じた往路分の検出信号を信号処理部１６２に出力する（Ｓ６０１）。
【００５３】
信号処理部１６２は，往路分の検出信号を入力し，入力した往路分の検出信号を信号記憶部１７０に記憶させる（Ｓ６０２）。
【００５４】
続いて，マイクロ波センサ１６１は，プリスキャンの際の復路にて，往路の場合と同様に，原稿に対してマイクロ波を照射して走査し，照射したマイクロ波の反射波を検出して，反射波のレベルに応じた復路分の検出信号を信号処理部１６２に出力する（Ｓ６０３）。
【００５５】
信号処理部１６２は，復路分の検出信号を入力し，入力した復路分の検出信号を信号記憶部１７０に記憶させる（Ｓ６０４）。
【００５６】
信号処理部１６２は，信号記憶部１７０から往路分および復路分の検出信号を読み出し，両者を平均化処理して平均値を求める（Ｓ６０５）。そして，信号処理部１６２は，平均化処理して得た平均値と予め設定した閾値とを比較する（Ｓ６０６）。
【００５７】
ステップＳ６０６において，平均値が閾値より大きい場合は，原稿中に金属繊維がすき込まれていると判定され，その結果が制御ユニット１８０に報告される。制御ユニット１８０は，その結果に基づいて，原稿が金属繊維のすき込まれた紙幣，有価証券等の特殊原稿であると判定する。一方，平均値が閾値より小さい場合は，原稿中に金属繊維がすき込まれていないと判定され，その結果が制御ユニット１８０に報告される。制御ユニット１８０は，その結果に基づいて，原稿が一般原稿であると判定する。
【００５８】
このように，実施の形態４の特殊原稿判定方法および特殊原稿判定装置によれば，プリスキャンの際の往路・復路の双方で得た検出信号を平均化処理して特殊原稿であるか否かを判定するため，マイクロ波の発射・反射の方向性，温度，振動，外部ノイズ等の外乱成分の影響を除去でき，特殊原稿の判定精度の向上を図ることができる。
【００５９】
なお，上述した実施の形態４の特殊原稿判定装置においては，マイクロ波センサ１６１の検出信号を用いて，原稿中に金属繊維がすき込まれているか否かの判定を信号処理部１６２が行い，信号処理部１６２の判定結果に基づいて，原稿が特殊原稿であるか否かの判定を制御ユニット１８０が行うことにしたが，この判定処理を全て信号処理部１６２が行うことにしても良い。また，実施の形態４においては，特殊原稿の判定処理を行うタイミングとしてプリスキャン時としたが，これに限定するものではない。
【００６０】
〔実施の形態５〕
実施の形態５の特殊原稿判定方法および特殊原稿判定装置（画像読取装置）は，第１スキャナ２０５がコンタクトガラス２０１上に載置された原稿上をプリスキャンのために往復運動する際の往路で金属繊維の検出処理を実行し，検出処理で得られた検出信号を用いて，原稿中に金属繊維がすき込まれているか否かを判定し，原稿中に金属繊維がすき込まれていないと判定された場合，再度復路にて金属繊維の検出処理を実行し，検出処理で得られた検出信号を用いて，原稿が特殊原稿であるか否かを判定するというものであって，さらに，往路のみならず復路においても露光照明ユニット２０３を点灯させ，同一条件にて特殊原稿の判定処理を行うというものである。なお，実施の形態５の特殊原稿判定装置は，実施の形態１で説明した特殊原稿判定装置と同様の構成であるため，その構成の説明は省略する。
【００６１】
次に，実施の形態５の特殊原稿判定装置による特殊原稿の判定処理を説明する。図７は，実施の形態５の特殊原稿判定装置による特殊原稿の判定手順を示すフローチャートである。なお，図７に示す特殊原稿の判定手順において，ステップＳ３０１〜Ｓ３０４については実施の形態１で説明した図３と同様であるため，以下では異なる部分のみを説明する。
【００６２】
プリスキャンは，通常，第１スキャナ２０５がコンタクトガラス２０１上に載置された原稿上を往復運動する際の往路で露光照明ユニット２０３を点灯させることによって行われる。したがって，復路においては，露光照明ユニット２０３を消灯させた状態で，第１スキャナ２０５を移動させることになる。ところが，往路および復路の双方で得た検出信号を用いて特殊原稿の判定を行う場合，このままでは往路で露光照明ユニット２０３が点灯され，復路で消灯されることになるため，照明による温度差等の影響から，往路分の検出信号と復路分の検出信号とがそれぞれ異なる信号となってしまうことになる。
【００６３】
そこで，実施の形態５の特殊原稿判定装置では，ステップＳ３０２において，原稿中に金属繊維がすき込まれていないと判定された場合，制御ユニット１８０が，復路においても露光照明ユニット２０３を点灯させ（Ｓ７０１），往路と同様に露光照明ユニット２０３を点灯させた状態で特殊原稿の判定処理を実行させることにしている。
【００６４】
このように，実施の形態５の特殊原稿判定方法および特殊原稿判定装置によれば，第１スキャナ２０５がプリスキャンのためにコンタクトガラス２０１上に載置された原稿上を往復運動する際の復路においても露光照明ユニット２０３を点灯させることにしたため，照明がある場合とない場合とに生じる温度差等の影響を除去でき，特殊原稿の判定精度の向上を図ることができる。
【００６５】
なお，実施の形態５においては，特殊原稿の判定処理を行う際に，露光照明ユニット２０３を点灯させることにしたが，逆に，露光照明ユニット２０３を消灯させた状態で，特殊原稿の判定処理を行っても良い。また，実施の形態５においては，露光照明ユニット２０３についてのみ説明したが，結露防止ヒータ２１８等についても，特殊原稿の判定処理を行う際にオンするかオフするか決定しておくことが望ましい。
【００６６】
〔実施の形態６〕
実施の形態６の特殊原稿判定方法および特殊原稿判定装置（画像読取装置）は，第１スキャナ２０５がコンタクトガラス２０１上に載置された原稿上をプリスキャンのために往復運動する際の往路で金属繊維の検出処理を実行し，検出処理で得られた検出信号を用いて，原稿中に金属繊維がすき込まれているか否かを判定し，原稿中に金属繊維がすき込まれていると判定された場合，再度復路にて金属繊維の検出処理を実行し，検出処理で得られた検出信号を用いて，原稿が特殊原稿であるか否かを判定するというものであって，さらに，往路のみならず復路においても露光照明ユニット２０３を点灯させ，同一条件にて特殊原稿の判定処理を行うというものである。なお，実施の形態６の特殊原稿判定装置は，実施の形態１で説明した特殊原稿判定装置と同様の構成であるため，その構成の説明は省略する。
【００６７】
次に，実施の形態６の特殊原稿判定装置による特殊原稿の判定処理を説明する。図８は，実施の形態６の特殊原稿判定装置による特殊原稿の判定手順を示すフローチャートである。なお，図８に示す特殊原稿の判定手順において，ステップＳ４０１〜Ｓ４０４については実施の形態２で説明した図４と同様であるため，以下では異なる部分のみを説明する。
【００６８】
プリスキャンは，通常，第１スキャナ２０５がコンタクトガラス２０１上に載置された原稿上を往復運動する際の往路で露光照明ユニット２０３を点灯させることによって行われる。したがって，復路においては，露光照明ユニット２０３を消灯させた状態で，第１スキャナ２０５を移動させることになる。ところが，往路および復路の双方で得た検出信号を用いて特殊原稿の判定を行う場合，このままでは往路で露光照明ユニット２０３が点灯され，復路で消灯されることになるため，照明による温度差等の影響から，往路分の検出信号と復路分の検出信号とがそれぞれ異なる信号となってしまうことになる。
【００６９】
そこで，実施の形態６の特殊原稿判定装置では，ステップＳ４０２において，原稿中に金属繊維がすき込まれていると判定された場合，制御ユニット１８０が，復路においても露光照明ユニット２０３を点灯させ（Ｓ８０１），往路と同様に露光照明ユニット２０３を点灯させた状態で特殊原稿の判定処理を実行させることにしている。
【００７０】
このように，実施の形態６の特殊原稿判定方法および特殊原稿判定装置によれば，第１スキャナ２０５がプリスキャンのためにコンタクトガラス２０１上に載置された原稿上を往復運動する際の復路においても露光照明ユニット２０３を点灯させることにしたため，照明がある場合とない場合とにおいて検出信号に生じる温度差等の影響を除去でき，特殊原稿の判定精度の向上を図ることができる。
【００７１】
なお，実施の形態６においては，特殊原稿の判定処理を行う際に，露光照明ユニット２０３を点灯させることにしたが，逆に，露光照明ユニット２０３を消灯させた状態で，特殊原稿の判定処理を行っても良い。また，実施の形態６においては，露光照明ユニット２０３についてのみ説明したが，結露防止ヒータ２１８等についても，特殊原稿の判定処理を行う際にオンするかオフするか決定しておくことが望ましい。
【００７２】
〔実施の形態７〕
実施の形態７の特殊原稿判定方法および特殊原稿判定装置（画像読取装置）は，第１スキャナ２０５がコンタクトガラス２０１上に載置された原稿上をプリスキャンのために往復運動する際の往路・復路双方で，金属繊維の検出処理を実行し，検出処理で得られた往路分および復路分の検出信号を比較処理して，原稿が金属繊維がすき込まれた紙幣，有価証券等の特殊原稿か否かを判定するものであって，さらに，往路のみならず復路においても露光照明ユニット２０３を点灯させ，同一条件にて特殊原稿の判定処理を行うというものである。なお，実施の形態７の特殊原稿判定装置は，実施の形態１で説明した特殊原稿判定装置と同様の構成であるため，その構成の説明は省略する。
【００７３】
次に，実施の形態７の特殊原稿判定装置による特殊原稿の判定処理を説明する。図９は，実施の形態７の特殊原稿判定装置による特殊原稿の判定手順を示すフローチャートである。なお，図９に示す特殊原稿の判定手順において，ステップＳ５０１〜Ｓ５０６については実施の形態３で説明した図５と同様であるため，以下では異なる部分のみを説明する。
【００７４】
プリスキャンは，通常，第１スキャナ２０５がコンタクトガラス２０１上に載置された原稿上を往復運動する際の往路で露光照明ユニット２０３を点灯させることによって行われる。したがって，復路においては，露光照明ユニット２０３を消灯させた状態で，第１スキャナ２０５を移動させることになる。ところが，往路および復路の双方で得た検出信号を用いて特殊原稿の判定を行う場合，このままでは往路で露光照明ユニット２０３が点灯され，復路で消灯されることになるため，照明による温度差等の影響から，往路分の検出信号と復路分の検出信号とがそれぞれ異なる信号となってしまうことになる。
【００７５】
そこで，実施の形態７の特殊原稿判定装置では，ステップＳ５０２において，信号処理部１６２が往路分の検出信号を信号記憶部１７０に記憶させた後，制御ユニット１８０が，復路においても露光照明ユニット２０３を点灯させ（Ｓ９０１），往路と同様に露光照明ユニット２０３を点灯させた状態で特殊原稿の判定処理を実行させることにしている。
【００７６】
このように，実施の形態７の特殊原稿判定方法および特殊原稿判定装置によれば，第１スキャナ２０５がプリスキャンのためにコンタクトガラス２０１上に載置された原稿上を往復運動する際の復路においても露光照明ユニット２０３を点灯させることにしたため，照明がある場合とない場合とにおいて検出信号に生じる温度差等の影響を除去でき，特殊原稿の判定精度の向上を図ることができる。
【００７７】
なお，実施の形態７においては，特殊原稿の判定処理を行う際に，露光照明ユニット２０３を点灯させることにしたが，逆に，露光照明ユニット２０３を消灯させた状態で，特殊原稿の判定処理を行っても良い。また，実施の形態７においては，露光照明ユニット２０３についてのみ説明したが，結露防止ヒータ２１８等についても，特殊原稿の判定処理を行う際にオンするかオフするか決定しておくことが望ましい。
【００７８】
〔実施の形態８〕
実施の形態８の特殊原稿判定方法および特殊原稿判定装置（画像読取装置）は，第１スキャナ２０５がコンタクトガラス２０１上に載置された原稿上をプリスキャンのために往復運動する際の往路・復路双方で，金属繊維の検出処理を実行し，検出処理で得られた往路分および復路分の検出信号を平均化処理して，原稿が金属繊維がすき込まれた紙幣，有価証券等の特殊原稿か否かを判定するものであって，さらに，往路のみならず復路においても露光照明ユニット２０３を点灯させ，同一条件にて特殊原稿の判定処理を行うというものである。なお，実施の形態８の特殊原稿判定装置は，実施の形態１で説明した特殊原稿判定装置と同様の構成であるため，その構成の説明は省略する。
【００７９】
次に，実施の形態８の特殊原稿判定装置による特殊原稿の判定処理を説明する。図１０は，実施の形態８の特殊原稿判定装置による特殊原稿の判定手順を示すフローチャートである。なお，図１０に示す特殊原稿の判定手順において，ステップＳ６０１〜Ｓ６０６については実施の形態４で説明した図６と同様であるため，以下では異なる部分のみを説明する。
【００８０】
プリスキャンは，通常，第１スキャナ２０５がコンタクトガラス２０１上に載置された原稿上を往復運動する際の往路で露光照明ユニット２０３を点灯させることによって行われる。したがって，復路においては，露光照明ユニット２０３を消灯させた状態で，第１スキャナ２０５を移動させることになる。ところが，往路および復路の双方で得た検出信号を用いて特殊原稿の判定を行う場合，このままでは往路で露光照明ユニット２０３が点灯され，復路で消灯されることになるため，照明による温度差等の影響から，往路分の検出信号と復路分の検出信号とがそれぞれ異なる信号となってしまうことになる。
【００８１】
そこで，実施の形態８の特殊原稿判定装置では，ステップＳ６０２において，信号処理部１６２が往路分の検出信号を信号記憶部１７０に記憶させた後，制御ユニット１８０が，復路においても露光照明ユニット２０３を点灯させ（Ｓ１００１），往路と同様に露光照明ユニット２０３を点灯させた状態で特殊原稿の判定処理を実行させることにしている。
【００８２】
このように，実施の形態８の特殊原稿判定方法および特殊原稿判定装置によれば，第１スキャナ２０５がプリスキャンのためにコンタクトガラス２０１上に載置された原稿上を往復運動する際の復路においても露光照明ユニット２０３を点灯させることにしたため，照明がある場合とない場合とにおいて検出信号に生じる温度差等の影響を除去でき，特殊原稿の判定精度の向上を図ることができる。
【００８３】
なお，実施の形態８においては，特殊原稿の判定処理を行う際に，露光照明ユニット２０３を点灯させることにしたが，逆に，露光照明ユニット２０３を消灯させた状態で，特殊原稿の判定処理を行っても良い。また，実施の形態８においては，露光照明ユニット２０３についてのみ説明したが，結露防止ヒータ２１８等についても，特殊原稿の判定処理を行う際にオンするかオフするか決定しておくことが望ましい。
【００８４】
〔実施の形態９〕
実施の形態９の特殊原稿判定方法および特殊原稿判定装置は，コピー動作を中断させた状態で，第１スキャナ２０５を原稿上で複数回往復運動させ，その往路（および／または復路）にて金属繊維の検出処理を実行し，複数回の検出処理で得られた複数の検出信号を用いて総合判定することにより，原稿が金属繊維がすき込まれた紙幣，有価証券等の特殊原稿であるか否かを判定するものである。なお，実施の形態９の特殊原稿判定装置は，実施の形態１で説明した特殊原稿判定装置と同様の構成であるため，その構成の説明は省略する。
【００８５】
次に，実施の形態９の特殊原稿判定装置による特殊原稿の判定処理を説明する。図１１は，実施の形態９の特殊原稿判定装置による特殊原稿の判定手順を示すフローチャートである。
【００８６】
特殊原稿の判定処理は，原稿の読み取りに先立って実行される。まず，制御ユニット１８０は，スキャナユニット１１０に対してコピー動作を中断させる（Ｓ１１０１）。
【００８７】
そして，制御ユニット１８０の制御により，第１スキャナ２０５が原稿上で往復運動させられ，その往路において，第１スキャナ２０５に設けられたマイクロ波センサ１６１が原稿に対してマイクロ波を照射して走査し，照射したマイクロ波の反射波を検出して，反射波のレベルに応じた往路分の検出信号を信号処理部１６２に出力する（Ｓ１１０２）。そして，この処理を予め定めた回数実行し，マイクロ波センサ１６１から信号処理部１６２へ，複数の検出信号が出力される（Ｓ１１０３）。なお，ここでは，往路でマイクロ波センサ１６１による金属繊維の検出処理を実行させることにしたが，復路のみ，または往路および復路の双方で行うことにしても良い。
【００８８】
信号処理部１６２は，マイクロ波センサ１６１から出力された複数の検出信号を入力し，入力した複数の検出信号に対して総合判定処理を実行する（Ｓ１１０４）。続いて信号処理部１６２は，総合判定処理の結果を用いて，原稿中に金属繊維がすき込まれているか否かを判定する（Ｓ１１０５）。なお，ステップＳ１１０４およびステップ１１０５における総合判定処理として，実施の形態４で説明した平均化処理を行うことができる。
【００８９】
ステップＳ１１０５において，原稿中に金属繊維がすき込まれていると判定された場合は，その判定結果が制御ユニット１８０に報告され，制御ユニット１８０は，原稿が金属繊維のすき込まれた紙幣，有価証券等の特殊原稿であると判定する。一方，原稿中に金属繊維がすき込まれていないと判定された場合は，その判定結果が制御ユニット１８０に報告され，制御ユニット１８０は，原稿が特殊原稿ではなく，一般の原稿であると判定する。
【００９０】
このように，実施の形態９の特殊原稿判定方法および特殊原稿判定装置によれば，マイクロ波センサ１６１による検出動作を複数回実行し，複数の検出信号を用いて総合判定を行うため，特殊原稿の判定精度の向上を図ることができる。さらに，マイクロ波センサ１６１による検出動作を複数回実行するため，突発的なノイズ，ランプの輻射熱等により，金属繊維の温度が上昇した場合に生じる反射波への影響を除去することができる。
【００９１】
なお，上述した実施の形態９の特殊原稿判定装置においては，マイクロ波センサ１６１の検出信号を用いて，原稿中に金属繊維がすき込まれているか否かの判定を信号処理部１６２が行い，信号処理部１６２の判定結果に基づいて，原稿が特殊原稿であるか否かの判定を制御ユニット１８０が行うことにしたが，この判定処理を全て信号処理部１６２が行うことにしても良い。
【００９２】
〔実施の形態１０〕
実施の形態１０の特殊原稿判定方法および特殊原稿判定装置は，第１スキャナ２０５がプリスキャンのためにコンタクトガラス２０１上に載置された原稿上を往復運動する際の往路（または復路）で，金属繊維の検出処理を実行し，検出処理で得られた検出信号を用いて，原稿中に金属繊維がすき込まれているか否かが判定され，原稿中に金属繊維がすき込まれていると判定された場合，コピー動作を中断させた状態で，第１スキャナ２０５を原稿上で複数回往復運動させ，その往路（および／または復路）にて，金属繊維の検出処理を実行し，複数回の検出処理で得られた複数の検出信号を総合判定することにより，原稿が特殊原稿であるか否かを判定するものである。なお，実施の形態１０の特殊原稿判定装置は，実施の形態１で説明した特殊原稿判定装置と同様の構成であるため，その構成の説明は省略する。
【００９３】
次に，実施の形態１０の特殊原稿判定装置による特殊原稿の判定処理を説明する。図１１は，実施の形態１０の特殊原稿判定装置による特殊原稿の判定手順を示すフローチャートである。
【００９４】
特殊原稿の判定処理は，まず，プリスキャンを行う際に同時に実行される。すなわち，第１スキャナ２０５がコンタクトガラス２０１上に載置された原稿上をプリスキャンのために往復運動する際の往路（または復路）において，第１スキャナ２０５に設けられたマイクロ波センサ１６１が，原稿に対してマイクロ波を照射して走査し，照射したマイクロ波の反射波を検出して，反射波のレベルに応じた往路分の検出信号を信号処理部１６２に出力する（Ｓ１２０１）。
【００９５】
信号処理部１６２は，往路分の検出信号を入力し，入力した往路分の検出信号を用いて，原稿中に金属繊維がすき込まれているか否かを判定する（Ｓ１２０２）。ステップＳ１２０２において，原稿中に金属繊維がすき込まれていないと判定された場合は，その結果が制御ユニット１８０に報告され，制御ユニット１８０は，原稿が金属繊維のすき込まれた紙幣，有価証券等の特殊原稿ではなく，一般の原稿であると判定する。
【００９６】
一方，ステップＳ１２０２において，原稿中に金属繊維がすき込まれていると判定された場合は，その結果が制御ユニット１８０に報告される。そして，制御ユニット１８０は，スキャナユニット１１０に対してコピー動作を中断させる（Ｓ１２０３）。
【００９７】
その後，制御ユニット１８０の制御により，第１スキャナ２０５が原稿上で往復運動させられ，その往路において，マイクロ波センサ１６１が原稿に対してマイクロ波を照射し，照射したマイクロ波の反射波を検出して，反射波のレベルに応じた往路分の検出信号を信号処理部１６２に出力する（Ｓ１２０４）。そして，この処理を予め定めた回数実行し，マイクロ波センサ１６１から信号処理部１６２に対し，複数の検出信号が出力される（Ｓ１２０５）。なお，ここでは往路でマイクロ波センサ１６１による検出処理を実行させることにしたが，復路のみ，または往路および復路の双方で行うことにしても良い。
【００９８】
信号処理部１６２は，マイクロ波センサ１６１から出力された複数の検出信号を入力し，入力した複数の検出信号に対して総合判定処理を実行する（Ｓ１２０６）。続いて信号処理部１６２は，総合判定処理の結果を用いて，原稿中に金属繊維がすき込まれているか否かを判定する（Ｓ１２０７）。なお，ステップＳ１１０４およびステップ１１０５における総合判定処理として，実施の形態４で説明した平均化処理を行うことができる。
【００９９】
ステップＳ１２０７において，原稿中に金属繊維がすき込まれていると判定された場合は，その判定結果が制御ユニット１８０に報告され，制御ユニット１８０は，原稿が金属繊維がすき込まれた紙幣，有価証券等の特殊原稿であると判定する。一方，原稿中に金属繊維がすき込まれていないと判定された場合は，その判定結果が制御ユニット１８０に報告され，制御ユニット１８０は，原稿が特殊原稿ではなく，一般の原稿であると判定する。
【０１００】
このように，実施の形態１０の特殊原稿判定方法および特殊原稿判定装置によれば，１回の特殊原稿の判定処理で特殊原稿であると判定された場合に，マイクロ波センサ１６１による検出動作を複数回実行し，複数の検出信号を用いて総合判定を行うため，特殊原稿の判定精度の向上を図ることができる。また，１回の特殊原稿の判定処理で特殊原稿でないと判定された場合には，その後の処理は実行されないため，制御の簡略化，高速な判定処理を行うことができる。さらに，マイクロ波センサ１６１による検出動作を複数回実行するため，突発的なノイズ，ランプの輻射熱等により，金属繊維の温度が上昇した場合に生じる反射波への影響を除去することができる。
【０１０１】
なお，上述した実施の形態１０の特殊原稿判定装置においては，マイクロ波センサ１６１の検出信号を用いて，原稿中に金属繊維がすき込まれているか否かの判定を信号処理部１６２が行い，信号処理部１６２の判定結果に基づいて，原稿が特殊原稿であるか否かの判定を制御ユニット１８０が行うことにしたが，この判定処理を全て信号処理部１６２が行うことにしても良い。また，実施の形態１０においては，特殊原稿の判定処理を行うタイミングとしてプリスキャン時としたが，これに限定するものではない。
【０１０２】
以上の実施の形態１〜１０において説明した特殊原稿判定方法をプログラム化し，これをフロッピーディスク，ハードディスク，ＣＤ−ＲＯＭ，ＤＶＤ等のコンピュータが読取可能な記憶媒体に記憶することができる。
【０１０３】
【発明の効果】
以上説明したように，本発明に係る特殊原稿判定方法（請求項１）によれば，原稿に対してマイクロ波を照射して走査し，照射したマイクロ波の反射波を検出する際に，走査の往路で，原稿にマイクロ波を照射して，その反射波を検出し，検出信号を出力する第１の工程と，第１の工程で検出した往路の反射波の検出信号を用いて，原稿中に金属繊維がすき込まれているか否かを判定する第２の工程と，第２の工程で原稿中に金属繊維がすき込まれていると判定された場合に，原稿が特殊原稿であると判定し，かつ，前記原稿にマイクロ波を照射して検出する動作を停止する第３の工程と，第２の工程で原稿中に金属繊維がすき込まれていないと判定された場合に，走査の復路で，原稿にマイクロ波を照射して，その反射波を検出し，検出信号を出力する第４の工程と，第４の工程で検出した復路の反射波の検出信号を用いて，原稿中に金属繊維がすき込まれているか否かを判定する第５の工程と，第５の工程の判定結果に基づいて，原稿が特殊原稿であるか否かを判定する第６の工程と，を有するため，往路においてマイクロ波を検出した場合には，復路においてマイクロ波の検出動作を停止することによって，無駄なマイクロ波の検出動作を省略し，かつ，往路において検出されなかった場合にのみ復路においてマイクロ波の検出動作を行うことによって，マイクロ波の発射・反射の方向性の影響による外乱成分を検出信号から除去でき，検出効率と検出精度の高い特殊原稿の判定処理を実行することができる。
【０１０４】
また，本発明に係る特殊原稿判定方法（請求項２）によれば，請求項１記載の特殊原稿判定方法において，原稿に対してマイクロ波を照射して走査し，照射したマイクロ波の反射波を検出する際に，原稿を読み取るための照明光を点灯させた場合には，全ての走査および反射波の検出において，同一条件で照明光を点灯させるため，温度等の影響による外乱成分を検出信号から除去でき，精度の高い特殊原稿の判定処理を実行することができる。
【０１０５】
また，本発明に係る特殊原稿判定装置（請求項３）によれば，原稿に対してマイクロ波を照射して走査し，照射したマイクロ波の反射波を検出する際に，走査の往路で，原稿にマイクロ波を照射して，その反射波を検出し，検出信号を出力する検出手段と，検出手段で検出した往路の反射波の検出信号を用いて，原稿中に金属繊維がすき込まれているか否かを判定する第１の判定手段と，第１の判定手段で原稿中に金属繊維がすき込まれていると判定された場合に，原稿が前記特殊原稿であると判定し，かつ，前記原稿にマイクロ波を照射して検出する動作を停止する第２の判定手段と，を備え，第１の判定手段で原稿中に金属繊維がすき込まれていないと判定された場合にのみ，検出手段が，走査の復路で，原稿にマイクロ波を照射して，その反射波を検出し，検出信号を出力し，第１の判定手段が，検出手段で検出した復路の反射波の検出信号を用いて，原稿中に金属繊維がすき込まれているか否かを判定し，第２の判定手段が，第１の判定手段の判定結果に基づいて，原稿が特殊原稿であるか否かを判定するため，往路においてマイクロ波を検出した場合には，復路においてマイクロ波の検出動作を停止することによって，無駄なマイクロ波の検出動作を省略し，かつ，往路において検出されなかった場合にのみ復路においてマイクロ波の検出動作を行うことによって，マイクロ波の発射・反射の方向性の影響による外乱成分を検出信号から除去でき，検出効率と検出精度の高い特殊原稿の判定処理を実行することができる。
【０１０６】
また，本発明に係る画像読取装置（請求項４）によれば，原稿の画像を光学的に読み取る読取手段と，原稿が金属繊維のすき込まれた紙幣・有価証券等の特殊原稿であるか否かを判定する特殊原稿判定手段と，を有した画像読取装置において，特殊原稿判定手段が，請求項３記載の特殊原稿判定装置から成り，特殊原稿判定装置の検出手段が，原稿に対してマイクロ波を照射して走査し，照射したマイクロ波の反射波を検出する際に，全ての走査および反射波の検出において前記読取手段の照明光を点灯または消灯させるため，温度等の影響による外乱成分を検出信号から除去でき，精度の高い特殊原稿の判定処理を実行することができる。
【図面の簡単な説明】
【図１】  実施の形態１の特殊原稿判定装置のブロック構成図である。
【図２】  図１に示す特殊原稿判定装置の原稿読取系の具体的構成を示す構成図である。
【図３】  実施の形態１の特殊原稿判定装置による特殊原稿の判定手順を示すフローチャートである。
【図４】  実施の形態２の特殊原稿判定装置による特殊原稿の判定手順を示すフローチャートである。
【図５】  実施の形態３の特殊原稿判定装置による特殊原稿の判定手順を示すフローチャートである。
【図６】  実施の形態４の特殊原稿判定装置による特殊原稿の判定手順を示すフローチャートである。
【図７】  実施の形態５の特殊原稿判定装置による特殊原稿の判定手順を示すフローチャートである。
【図８】  実施の形態６の特殊原稿判定装置による特殊原稿の判定手順を示すフローチャートである。
【図９】  実施の形態７の特殊原稿判定装置による特殊原稿の判定手順を示すフローチャートである。
【図１０】  実施の形態８の特殊原稿判定装置による特殊原稿の判定手順を示すフローチャートである。
【図１１】  実施の形態９の特殊原稿判定装置による特殊原稿の判定手順を示すフローチャートである。
【図１２】  実施の形態１０の特殊原稿判定装置による特殊原稿の判定手順を示すフローチャートである。
【符号の説明】
１１０      スキャナユニット
１１１      読取センサ
１１２      読取信号処理部
１２０      画像処理ユニット
１３０      書込処理ユニット
１３１      レーザダイオード（ＬＤ）
１４０      プリンタユニット
１４１      出力負荷部
１４２      各種センサ
１４３      Ｉ／Ｏポート
１５０      操作ユニット
１６０      原稿判別ユニット
１８０      制御ユニット
１６１      マイクロ波センサ
１６２      信号処理部
１７０      信号記憶部
２０１      コンタクトガラス
２０２      圧板
２０３      露光照明ユニット（ハロゲンランプ）
２０４      第１ミラー
２０５      第１スキャナ
２０６      第２ミラー
２０７      第３ミラー
２０８      第２スキャナ
２０９      フィルタ
２１０      レンズ
２１２      ＣＣＤ
２１３      画像読取部
２１４      スキャナ基板
２１５      シェーディング板（白基準板）
２１６，２１７      冷却ファン
２１８      結露防止ヒータ
２１９      原稿サイズ検知器
２２０      バーコード板
【図１】
0003655710.tif 000002
【図２】
0003655710.tif 000003
【図３】
0003655710.tif 000004
【図４】
0003655710.tif 000005
【図５】
0003655710.tif 000006
【図６】
0003655710.tif 000007
【図７】
0003655710.tif 000008
【図８】
0003655710.tif 000009
【図９】
0003655710.tif 000010
【図１０】
0003655710.tif 000011
【図１１】
0003655710.tif 000012
【図１２】
0003655710.tif 000013